(57)【要約】【課題】あらゆるパチンコ機種について稼働可能状態で設置されたパチンコ機をそのままにして、前面から簡単にその傾斜量が測定出来ることである。【解決手段】画像信号が出るカメラを測定対象のパチンコ機の前面下方に一定距離高さに配置し、カメラ傾斜を水準器により一定にしてパチンコ機前面上部の稜線を、画像表示器に映し出し、その稜線画像の位置を、予め傾斜量が解っている標準器による画像の位置と、比較することによりパチンコ機の前面下部の稜線からの鉛直面に対して前面上部の稜線の前後位置のずれが解ることで、パチンコ機の傾斜量を測定する。【選択図】図１
2005034456.tif 000002
【特許請求の範囲】
【請求項１】
本装置はパチンコ機の傾斜量を測定できるものであって、画像信号を出せるカメラ、画像を表示する画像表示器、カメラを一定傾斜角に合せるための水準器、カメラの位置を決める固定具、これらを備えてパチンコ機を基準として前面下方にカメラを一定距離高さに配置して、カメラ傾斜を水準器により一定にして、パチンコ機の最上部前面稜線を照準にして画像表示器に画像表示をした時のその稜線画像の位置から、パチンコ機の傾斜量を測定出来ることを特徴としたパチンコ機の傾斜量測定装置。
【発明の詳細な説明】
【技術分野】
【０００１】
本発明は、パチンコ機の傾斜量を測定する装置に関するものである。
【背景技術】
【０００２】
パチンコ機の傾斜量、通常は傾斜角と云っているものは、パチンコ球の動きに微妙に影響するものであり、傾斜角度の調節は大切である。
従って傾斜角度を測定する装置器具は様々なものが考えられて、特許文献は数多く在る。
【０００３】
従来は、パチンコ機の遊技盤面を取付ける為の木枠傾斜角度を測定して、それを傾斜角度としているのが一般的であるが、あらゆるパチンコ機種について稼働可能状態で設置されたパチンコ機をそのままにして、前面から簡単にその傾斜角度が測定出来る物があれば便利である。
【０００４】
しかし、パチンコ機の前面には様々な突起物などがあり、その物体を避けて一部平面を見つけて器具を使い全体の傾斜角度を測定するのは困難である。
【０００５】
然るに、パチンコ機は高さが一定であり、その前面上下の稜線が同一面である機種が大多数であり、この場合はこの鉛直線に対する偏移差を測れば、傾斜量の絶対値が解る。
また、パチンコ機の前面上下の稜線が同一面に無い場合には、同一機種での相対的傾斜量の相違が解ればよい場合もあり、またパチンコ機の前面上下部の稜線が遊技盤面の平行面から偏移している差が解れば、あらゆるパチンコ機の前面下部の稜線からの鉛直面に対して前面上部の稜線の前後位置のずれが解ることで、パチンコ機本体の傾斜量は計算できる。
【特許文献１】特開２０００−０５１５０８号広報
【特許文献２】特開２００３−０３３５５７号広報
【発明の開示】
【発明が解決しようとする課題】
【０００６】
解決しようとする問題点は、あらゆるパチンコ機種について稼働可能状態で設置されたパチンコ機をそのままにして、前面から簡単にその傾斜量が測定出来ることである。
【課題を解決するための手段】
【０００７】
本発明は、画像信号が出るカメラを測定対象のパチンコ機を基準として前面下方に一定距離高さに配置し、カメラ傾斜を水準器により一定にしてパチンコ機前面上部の稜線を、画像表示器に映し出し、その稜線画像の位置を、予め傾斜量が解っている画像の位置と、比較することによりパチンコ機の前面下部の稜線からの鉛直面に対して前面上部の稜線の前後位置のずれが解ることで、パチンコ機の傾斜量を測定できることを特徴とする。
ここで予め傾斜量が解っている画像の位置を示す手段が簡単であるが、カメラの位置や傾斜を正確に固定出来れば画像の位置から計算により傾斜量を測定することも可能である。
【発明の効果】
【０００８】
本発明のパチンコ機の傾斜量測定装置は、あらゆるパチンコ機種について稼働可能状態で設置されたパチンコ機をそのままにして、前面から簡単にその傾斜量が測定出来るので、新規設置や移動の際に作業効率向上は勿論の事、他店のパチンコ機が興味ある稼働をしている場合などに、営業中でも簡単にそのパチンコ機の傾斜量を測定でき参考にすることが出来ることである。
【発明を実施するための最良の形態】
【０００９】
パチンコ機の傾斜量を測定する目的を、パチンコ機としての標準器を最低二つ予め傾斜量を定めたものを用意して、その前面下方に一定距離高さに配置しカメラの傾斜角を定めてパチンコ機としての標準器の前面上部稜線を写した時の複数の画像位置を目盛にして、同じ位置関係で被測定パチンコ機の前面上部稜線を写した画像位置と目盛に照らし合わせて測定することで実現した。
【実施例１】
【００１０】
図１は、本発明装置の１実施例の説明用模擬図ある。
本発明では、カメラと画像表示器及び水準器が必要であるが、本発明はこれら機器を部品としての活用方法についてであるのでこれら機器についての技術的詳細は省略する。
カメラは、画像信号が如何なる形式でも出力できるものであれば、その信号形式に適合した画像表示器を使用することでこの装置ができる。
実際のパチンコ機は、側面から見た場合には木枠部と遊技盤面やガラス面などに分離されるが、本図ではこれらを簡略して一纏めした側面図を表したもので表面が平面とした。
【００１１】
パチンコ機は、獲得した球を収納する箱を置く台の上に沿って設置されていて好ましい傾斜量に調節されている。
その傾斜量を、一般的にはパチンコ機の、鉛直に対する上下の稜線位置の偏移差を、寸の１０分の１単位であるところの「分」で表している。
【００１２】
まず、予め第一標準器としてのパチンコ機１を傾斜量３分にして用意し、その底面に沿う台２の上に、カメラ６を固定したカメラ固定具３をパチンコ機１の下部表面に当て置き、このとき画像信号がケーブル８で伝送されて画像表示器９にパチンコ機１の前面上部の稜線Ａが画面上中央にラインａとなって表示されるようにアジャスター４を調節する。
スペーサー５は、アジャスター４を設ける為の空間用とパチンコ機の下部に突起物がある場合の逃げの効果がある。
【００１３】
この状態で水準器７が水平を示すように水準器７をカメラ６に固定する。
水準器の配置は図１ではカメラ６の横にしたが固定具とカメラの位置関係が変動し難い場合は固定具３に配置しても良い。
【００１４】
次に、第二標準器としてパチンコ機１０を傾斜量０分即ち鉛直にして用意し、その底面に沿う台２の上に、カメラ６を固定したカメラ固定具３をパチンコ機１０の下部表面に当て置き、水準器７が水平を示すようにアジャスター４を調節すると、このとき画像信号がケーブル８で伝送されて画像表示器９にパチンコ機１０の前面上部の稜線Ｂが画面上にラインｂとなって表示される。
台２が常に水平であるならば、水準器７によるアジャスター４の調節は不要になる。
以上二画像のａ、ｂ、各ラインの位置を、画像表示器９の画面に目盛として記し、この間を３等分して目盛を追加する。
【００１５】
同様にして、第３標準器として、傾斜量６分のパチンコ機を用意して、画像表示器９の画面に６分の目盛を記し、３分の目盛との間を３等分して目盛を追加すると、画像表示器９の図面の様に０から６分までの目盛が記される。
勿論、目盛数や間隔は自由に出来る。
【００１６】
以上で解るように、傾斜量が不明のパチンコ機の測定は、第二、第三の標準器の画像表示方法と同様にして、被測定パチンコ機の上部稜線が画像に映し出されたところの目盛を読めば良い。
【００１７】
目盛を見易く間隔を大きくするには、カメラのズーム機能を活用して画像を拡大する事で可能である。
【００１８】
画像表示器９は、図１では比較的大きいが、最近の携帯電話用のように小さい画面でも実用になり、カメラと画像表示器が一体になり、画像が横または正面から観測できれば、実用上更に好ましい。
【００１９】
また、カメラと画像表示器の間に信号処理器を挿入して、目盛を画像で表示する事も可能である。
【産業上の利用可能性】
【００２０】
パチンコ機が稼働している状態のまま、パチンコ機の傾斜量が簡単に解るので、パチンコ関連の店運営者や開発者が、自身の所以外の場所でも、他人に迷惑をかけずに利用できるので、実際にパチンコ機が興味ある稼働をしている状態を現場で測定できて、傾斜量や釘の調節などに効果が期待できる。
【図面の簡単な説明】
【００２１】
【図１】パチンコ機の傾斜量測定装置の説明用模擬図である。
【符号の説明】
【００２２】
１    パチンコ機の第一標準器
２    台
３    カメラ固定具
４    アジャスター
５    スペーサー
６    カメラ
７    水準器
８    ケーブル
９    画像表示器
１０  パチンコ機の第二標準器
Ａ    パチンコ機の第一標準器の稜線
Ｂ    パチンコ機の第二標準器の稜線
ａ    Ａの画像
ｂ    Ｂの画像
【図１】
2005034456.tif 000003
【手続補正書】
【提出日】平成15年7月17日(2003.7.17)
【手続補正１】
【補正対象書類名】図面
【補正対象項目名】図１
【補正方法】変更
【補正の内容】
【図１】
2005034456.tif 000004